(57)【要約】【課題】待機時の溜水水位（溜水面）以下のボウル部を殺菌することができる便器装置を提供することを目的とする。【解決手段】溜水を貯留可能なボウル部を有する便器本体と、前記ボウル部の殺菌を開始する指令に基づいて、前記ボウル部に貯留された前記溜水の水位を待機時よりも下げる殺菌準備と、前記ボウル部の殺菌と、を実行する制御部と、を備えたことを特徴とする便器装置が提供される。【選択図】図１
2010248786.tif 000002
【特許請求の範囲】
【請求項１】
溜水を貯留可能なボウル部を有する便器本体と、
前記ボウル部の殺菌を開始する指令に基づいて、前記ボウル部に貯留された前記溜水の水位を待機時よりも下げる殺菌準備と、前記ボウル部の殺菌と、を実行する制御部と、
を備えたことを特徴とする便器装置。
【請求項２】
前記制御部は、前記殺菌準備を開始した後に、前記ボウル部の殺菌を開始することを特徴とする請求項１記載の便器装置。
【請求項３】
前記制御部は、殺菌性を有する水を前記ボウル部に供給することにより前記ボウル部の殺菌を実行することを特徴とする請求項１又は２に記載の便器装置。
【請求項４】
前記制御部は、紫外線を前記ボウル部に照射することにより前記ボウル部の殺菌を実行することを特徴とする請求項１又は２に記載の便器装置。
【請求項５】
前記制御部は、前記ボウル部の殺菌を開始した後に、前記待機時よりも下げられた前記溜水の水位を前記待機時の水位に復元する復水を開始することを特徴とする請求項３または４に記載の便器装置。
【請求項６】
前記ボウル部の上方を覆う便蓋をさらに備え、
前記制御部は、前記便蓋が閉じた状態において、前記ボウル部の殺菌を実行することを特徴とする請求項４または５に記載の便器装置。
【請求項７】
前記制御部は、前記ボウル部の殺菌を実行する際には、前記ボウル部に接続された排水管から逆流する臭気が前記ボウル部の外部へ拡散することを防止することを特徴とする請求項１〜６のいずれか１つに記載の便器装置。
【発明の詳細な説明】
【技術分野】
【０００１】
本発明の態様は、一般的に、便器装置に関し、具体的には便器のボウル部を殺菌することができる便器装置に関する。
【背景技術】
【０００２】
便器のボウル部を掃除する場合には、例えば、ボウル内に封水として溜まった溜水や薬剤などを利用し、掃除用ブラシでボウル部を擦ることにより、ボウル部に付着した汚れなどを落としている。また、便器のボウル部の清潔性や衛生をより向上させ、そのボウル部を殺菌するために、ボウル部に向けて紫外線を照射する洋式便器装置やトイレ装置がある（特許文献１および２）。紫外線は、殺菌効果を有し、またバクテリアや細菌やカビなどの繁殖を抑制する効果を有するため、特許文献１および２に記載された装置によれば、ボウル部の殺菌や防汚や防臭を行うことができる。
【０００３】
しかしながら、一般的に、ボウル部には水が溜まっているため、その溜水の水面（溜水面）以下の部分（喫水部）には紫外線が届きにくい、あるいは届かない。これは、紫外線が溜水に吸収されるためである。そのため、ボウル部の喫水部に付着した菌や微生物を殺すことが困難となり、そのボウル部の喫水部において殺菌効果を得ることができないおそれがある。
【先行技術文献】
【特許文献】
【０００４】
【特許文献１】実開平１−１５９７９８号公報
【特許文献２】特開２００５−２３２９４９号公報
【発明の概要】
【発明が解決しようとする課題】
【０００５】
本発明は、かかる課題の認識に基づいてなされたものであり、待機時の溜水水位（溜水面）以下のボウル部を殺菌することができる便器装置を提供することを目的とする。
【課題を解決するための手段】
【０００６】
第１の発明は、溜水を貯留可能なボウル部を有する便器本体と、前記ボウル部の殺菌を開始する指令に基づいて、前記ボウル部に貯留された前記溜水の水位を待機時よりも下げる殺菌準備と、前記ボウル部の殺菌と、を実行する制御部と、を備えたことを特徴とする便器装置である。  
この便器装置によれば、通常使用時あるいは待機時には溜水で水没しているボウル部の部分を効果的に殺菌することができる。そのため、ボウル部の喫水部近傍に汚れが発生することを抑制することができる。また、ボウル部の清掃を簡略化させることができる、あるいはボウル部の清掃の手間を無くすことができる。
【０００７】
また、第２の発明は、第１の発明において、前記制御部は、前記殺菌準備を開始した後に、前記ボウル部の殺菌を開始することを特徴とする便器装置である。  
この便器装置によれば、ボウル部の殺菌を開始する前に溜水の水位（溜水面）を下げるため、待機時の溜水面以下のボウル部を殺菌することができる。また、ボウル部の殺菌を無駄に実行することがないため、エネルギーロスを抑制したり、省エネルギー化を図ることができる。
【０００８】
また、第３の発明は、第１または第２の発明において、前記制御部は、殺菌性を有する水を前記ボウル部に供給することにより前記ボウル部の殺菌を実行することを特徴とする便器装置である。  
この便器装置によれば、溜水の水位を待機時よりも下げた状態で殺菌水をボウル部に供給するため、待機時の溜水面以下のボウル部に殺菌水を付着させることができる。そのため、殺菌水の濃度が溜水により薄まることを抑制しつつ、待機時の溜水面以下のボウル部に殺菌水を付着させ殺菌することができる。
【０００９】
また、第４の発明は、第１または第２の発明において、前記制御部は、紫外線を前記ボウル部に照射することにより前記ボウル部の殺菌を実行することを特徴とする便器装置である。  
この便器装置によれば、溜水の水位を待機時よりも下げた状態で紫外線をボウル部に照射するため、待機時の溜水面以下のボウル部に紫外線を照射することができる。そのため、紫外線が溜水により吸収されることを抑制しつつ、待機時の溜水面以下のボウル部に紫外線を照射し殺菌することができる。
【００１０】
また、第５の発明は、第３または第４の発明において、前記制御部は、前記ボウル部の殺菌を開始した後に、前記待機時よりも下げられた前記溜水の水位を前記待機時の水位に復元する復水を開始することを特徴とする便器装置である。  
この便器装置によれば、溜水の水位を待機時よりも下げた状態のままで殺菌水をボウル部に供給したり、紫外線をボウル部に照射することができるため、待機時の溜水面以下のボウル部をより長時間にわたって殺菌することができる。また、ボウル部のより深い部分を殺菌することができる。
【００１１】
また、第６の発明は、第４または第５の発明において、前記ボウル部の上方を覆う便蓋をさらに備え、前記制御部は、前記便蓋が閉じた状態において、前記ボウル部の殺菌を実行することを特徴とする便器装置である。  
この便器装置によれば、より高い殺菌性を有する周波数帯域の紫外線を使用して、ボウル部を殺菌することができる。すなわち、制御部は、便蓋を閉じた状態で紫外線を照射するため、より高い殺菌性を有する周波数帯域の紫外線をボウル部に照射しても人体に悪影響を及ぼすことはない。
【００１２】
また、第７の発明は、第１〜第６のいずれか１つの発明において、前記制御部は、前記ボウル部の殺菌を実行する際には、前記ボウル部に接続された排水管から逆流する臭気が前記ボウル部の外部へ拡散することを防止することを特徴とする便器装置である。  
この便器装置によれば、いわゆる「封水切れ」が生じた場合でも、悪臭がトイレ室内に拡散することを抑制することができる。また、悪臭がトイレ室内に拡散することを抑制しつつ、ボウル部のより深い部分を殺菌することができる。
【発明の効果】
【００１３】
本発明の態様によれば、待機時の溜水水位（溜水面）以下のボウル部を殺菌することができる便器装置が提供される。
【図面の簡単な説明】
【００１４】
【図１】本発明の第１の実施の形態にかかる便器装置を表す断面模式図である。
【図２】本実施形態にかかる便器装置の動作の概要を表すフローチャートである。
【図３】本実施形態の具体例にかかる便器装置の主な構成を表すブロック図である。
【図４】次亜塩素酸を含む溶液を生成する電解槽の内部を表す断面模式図である。
【図５】本具体例の便器装置の動作を表すタイムチャートである。
【図６】本具体例の便器装置の動作の変形例を表すタイムチャートである。
【図７】本実施形態の他の具体例にかかる便器装置の主な構成を表すブロック図である。
【図８】本具体例の便器装置の動作を表すタイムチャートである。
【図９】本具体例の便器装置の動作の変形例を表すタイムチャートである。
【図１０】本具体例の便器装置の動作の他の変形例を表すタイムチャートである。
【図１１】本発明の第２の実施の形態にかかる便器装置を表す断面模式図である。
【図１２】本具体例の便器装置の動作を表すタイムチャートである。
【図１３】本具体例の便器装置の動作の変形例を表すタイムチャートである。
【図１４】溜水面を待機時よりも下げる動作の変形例を説明するための断面模式図である。
【発明を実施するための形態】
【００１５】
以下、本発明の実施の形態について図面を参照しつつ説明する。なお、各図面中、同様の構成要素には同一の符号を付して詳細な説明は適宜省略する。  
図１は、本発明の第１の実施の形態にかかる便器装置を表す断面模式図である。  
なお、図１は、本実施形態にかかる便器装置を前方から眺めたときの断面模式図であり、図１（ａ）に表した溜水水位（溜水面）は、待機時の状態を表しており、図１（ｂ）に表した溜水水位（溜水面）は、待機時よりも下がった状態を表している。
【００１６】
本実施形態にかかる便器装置１０は、洋式腰掛便器（以下説明の便宜上、「便器本体」と称する）１００と、便器本体１００の上に配置された便座２００と、閉じた状態で便座２００の上を覆う便蓋３００と、便器本体１００の後方上部に設置された局部洗浄装置４００と、を有する。便座２００と便蓋３００とは、例えば局部洗浄装置４００に対して開閉自在にそれぞれ軸支されている。
【００１７】
便器本体１００は、その内部にボウル部１１０を有する。そのボウル部１１０の下部には、水（溜水）１２０が溜められている。溜水１２０は、ボウル部１１０の下部に封水として一時的に貯留されることにより、悪臭や害虫類が排水管などを通ってトイレ室内に侵入することを防止することができる。また、便蓋３００が閉じた状態では、ボウル部１１０は、その上方を便蓋３００により覆われる。
【００１８】
また、本実施形態にかかる便器装置１０は、殺菌水をボウル部１１０に流す、あるいは噴射する殺菌水吐水口２０を備える。殺菌水吐水口２０は、例えば、便器本体１００の上部に設けられている。但し、殺菌水吐水口２０の設置位置は、これだけに限定されるわけではなく、局部洗浄装置４００の下面あるいは前面や、便器本体１００の鉛直方向の中央部などに設けられていてもよい。また、殺菌水をボウル部１１０の全体に流すために、あるいは噴射するために、殺菌水吐水口２０にはスプレッダーや可動式ノズルなどが適宜設けられていてもよい。
【００１９】
このように、殺菌水をボウル部１１０に流したり噴射することにより、便器本体１００のボウル部１１０の清潔性や衛生をより向上させ、そのボウル部１１０を殺菌することができる。またさらに、ボウル部１１０の防汚や防臭を行うことができる。
【００２０】
このとき、前述したように、ボウル部１１０の下部には、封水としての溜水１２０が存在する。そのため、殺菌水をボウル部１１０に流しても、溜水１２０の水位（溜水面）以下のボウル部１１０の部分では、殺菌作用あるいは殺菌効果が低下するおそれがある。これは、溜水１２０は、ボウル部１１０を洗浄する水（洗浄水）として適宜吐水され、一時的に封水として貯留された水であり、殺菌水の濃度がその溜水１２０により薄まるためである。そのため、待機時の溜水水位（溜水面）以下の部分（喫水部）を殺菌することができないおそれがある。
【００２１】
そこで、本実施形態にかかる便器装置１０は、殺菌水をボウル部１１０に流す、あるいは噴射するときには、溜水１２０の溜水面を待機時よりも下げることができる。すなわち、便器装置１０は、ボウル部１１０の殺菌を行う場合には、溜水１２０の溜水面を下げる殺菌準備工程と、ボウル部１１０を殺菌する殺菌工程と、を実行することができる。殺菌準備工程および殺菌工程を行うタイミングや工程時間は、例えば局部洗浄装置４００に内蔵された制御部４１０により制御される。なお、制御部４１０は、局部洗浄装置４００に内蔵されていることに限定されず、例えば便器本体１００に内蔵されていてもよい。
【００２２】
次に、本実施形態にかかる便器装置１０の動作の概要について、図面を参照しつつ説明する。  
図２は、本実施形態にかかる便器装置の動作の概要を表すフローチャートである。
【００２３】
まず、待機状態などの通常動作を行っているときに（ステップＳ１０１）、制御部４１０は、ボウル部１１０の殺菌を行う条件が適用されるか否かを判断する（ステップＳ１０３）。つまり、制御部４１０は、ボウル部１１０の殺菌の実行を開始する指令がなされたか否かを判断する（ステップＳ１０３）。
【００２４】
ここで、制御部４１０が、ボウル部１１０の殺菌を行う条件が適用された（ステップＳ１０３：ＹＥＳ）と判断するのは、例えば、使用者が図示しないリモコンなどの操作装置に設けられた操作ボタンを押したときや、局部洗浄装置４００あるいは便器本体１００に設けられた操作ボタンなどを押したときである。あるいは、その判断のタイミングは、局部洗浄装置４００が使用されていないとき、すなわち例えば、局部洗浄装置４００に適宜設けられた図示しない人体検知センサなどがトイレ室内において人体を検知していないときであってもよい。あるいは、その判断のタイミングは、夜間や昼間において便器装置１０が使用されていないときであってもよい。あるいは、その判断のタイミングは、適宜設定された回数だけボウル部１１０の洗浄が行われたときであってもよい。
【００２５】
あるいは、制御部４１０は、使用者による便器装置１０の使用頻度を記憶し、その使用頻度が少ない時間帯を学習してもよい。これによれば、制御部４１０は、その使用者の使用頻度が少ない時間帯において、ボウル部１１０の殺菌を行う条件が適用されたと判断し、ボウル部１１０の殺菌を行うことができる。
【００２６】
あるいは、その判断のタイミングは、例えば、暖房便座の節電モードの１つである「おまかせ節電」が稼動しているときであってもよい。「おまかせ節電」とは、制御部４１０が使用者による便器装置１０の使用頻度を記憶し、その使用頻度が少ない時間帯を学習して暖房便座などの温度を下げる機能である。これによれば、制御部４１０は、「おまかせ節電」が稼動しているということは使用者の使用頻度が少ない時間帯であると判断し、ボウル部１１０の殺菌を行うことができる。
【００２７】
あるいは、その判断のタイミングは、例えば、暖房便座の節電モードの１つである「タイマー節電」が稼動しているときであってもよい。「タイマー節電」とは、使用者が好みにより設定した時刻になると、制御部４１０が暖房便座などの温度を自動的に下げる機能である。使用者は、一般的に、使用頻度が少ない時間帯にその時刻を設定する。これによれば、制御部４１０は、「タイマー節電」が稼動しているということは使用者の使用頻度が少ない時間帯であると判断し、ボウル部１１０の殺菌を行うことができる。
【００２８】
このような種々のタイミングにおいて、制御部４１０は、ボウル部１１０の殺菌を行う条件が適用されたと判断すると（ステップＳ１０３：ＹＥＳ）、溜水面を待機時よりも下げる殺菌準備工程を実行する（ステップＳ１０５）。なお、殺菌準備工程の動作の詳細については後述する。続いて、制御部４１０は、殺菌水をボウル部１１０に流したりあるいは噴射したりして、ボウル部１１０を殺菌する殺菌工程を実行する（ステップＳ１０７）。一方、制御部４１０は、ボウル部１１０の殺菌を行う条件が適用されていないと判断すると（ステップＳ１０３：ＮＯ）、待機状態などの通常動作を行う（ステップＳ１０１）。
【００２９】
ここで、殺菌工程において使用する殺菌水としては、例えば、次亜塩素酸を含む溶液が挙げられる。この次亜塩素酸を含む溶液は、水道水を電気分解し、その水道水の中に含まれる塩素が次亜塩素酸に変化することにより生成される。これについては、後に詳述する。あるいは、殺菌工程において使用する殺菌水としては、例えば、銀イオンや銅イオンなどの金属イオンを含む水が挙げられる。またあるいは、例えば、電解塩素やオゾンなどを含む水があげられる。またあるいは、殺菌性を有する薬剤を含む溶液が挙げられる。これらのように、殺菌工程において使用する殺菌水は、特に限定されるわけではなく、殺菌性を有していればよい。なお、以下の説明においては、殺菌工程において使用する殺菌水が次亜塩素酸を含む溶液である場合を例に挙げて説明する。
【００３０】
本実施形態にかかる便器装置１０の動作によれば、ボウル部１１０の殺菌を行う場合、すなわち殺菌水をボウル部１１０に流したりあるいは噴射する場合には、制御部４１０は、溜水１２０の溜水面を待機時よりも下げる殺菌準備工程を実行する。そのため、本実施形態にかかる便器装置１０は、殺菌水の濃度が溜水１２０より薄められることを抑制することができ、待機時の溜水面以下のボウル部１１０を殺菌することができる。
【００３１】
次に、本実施形態にかかる便器装置１０の動作の具体例について、図面を参照しつつ説明する。  
図３は、本実施形態の具体例にかかる便器装置の主な構成を表すブロック図である。  
また、図４は、次亜塩素酸を含む溶液を生成する電解槽の内部を表す断面模式図である。
【００３２】
まず、本実施形態の具体例にかかる便器装置１０の主な構成について説明する。  
便器本体１００の後方には、図３に表したように、便器本体機能部３０が設置されている。また、便器本体１００には、汚物を受けるボウル部１１０と、このボウル部１１０の底部から延びる排水トラップ管路１１２と、ジェット吐水を行うジェット吐水口１１１と、リム吐水を行うリム吐水口１１４が形成されている。  
ジェット吐水口１１１は、ボウル部１１０の底部に形成されており、排水トラップ管路１１２の入口に指向してほぼ水平に配置され、洗浄水を排水トラップ管路１１２に向けて吐出するようになっている。  
リム吐水口１１４は、ボウル部１１０の上部後方に形成されており、ボウル部１１０の上縁に沿って洗浄水や殺菌水を吐出するようになっている。すなわち、リム吐水口１１４は、図１に関して説明した殺菌水吐水口２０として機能する。
【００３３】
排水トラップ管路１１２は、入口部１１２ａと、この入口部１１２ａから上昇するトラップ上昇管１１２ｂと、このトラップ上昇管１１２ｂから下降するトラップ下降管１１２ｃと、を有し、トラップ上昇管１１２ｂとトラップ下降管１１２ｃとの間が頂部１１２ｄとなっている。なお、排水トラップ管路１１２のトラップ下降管１１２ｃの下端には、排水管１１５が接続されている。
【００３４】
本実施形態にかかる便器装置１０は、洗浄水を供給する水道に直結されており、水道の給水圧力によりリム吐水口１１４から洗浄水が吐出される。また、ジェット吐水に関しては、便器本体機能部３０に内蔵された貯水タンク５１に貯水された洗浄水を加圧ポンプ５２によって加圧して、大流量でジェット吐水口１１１から吐出させるようになっている。
【００３５】
便器本体機能部３０には、水道から洗浄水が供給される給水路４１が設けられ、この給水路４１には、ダイヤフラム式の電磁開閉弁４２および給水路切替弁４３がそれぞれ設けられている。なお、これらの電磁開閉弁４２および給水路切替弁４３は、図３に表したように、バルブユニット４０として、一体的に組み立てられたものとなっている。  
また、給水路切替弁４３の下流側には、リム吐水口１１４に洗浄水を供給するためのリム側給水路４４と、貯水タンク５１に洗浄水を供給するためのタンク側給水路４５が接続されている。ここで、給水路切替弁４３は、リム側給水路４４およびタンク側給水路４５の両方に同じタイミングで洗浄水を供給可能であって、リム側とタンク側への給水量の割合を任意に変更できる切替弁である。
【００３６】
また、貯水タンク５１の下部には、ジェット側給水路５３が接続されており、このジェット側給水路５３の下流端は、ジェット吐水口１１１に接続されている。また、ジェット側給水路５３の途中に加圧ポンプ５２が設けられている。この加圧ポンプ５２は、貯水タンク５１に貯水された洗浄水を加圧して、ジェット吐水口１１１から吐出させるためのものである。
【００３７】
このジェット側給水路５３は、加圧ポンプ５２より上流側の上流ジェット側給水路５３ａと下流ジェット側給水路５３ｂとを有する。ここで、下流ジェット側給水路５３ｂは、図３に表したように、上方に向けて凸型に形成されており、この凸型部分の最も高い部分である頂部５３ｃは、貯水タンク５１からジェット吐水口１１１に至るジェット側給水路５３の中で最も高い部分になっている。
【００３８】
また、リム側給水路４４の途中には、水道水を電気分解して次亜塩素酸を含む溶液を生成可能な電解槽６０が設けられている。ここで、電解槽６０について、図４を参照しつつさらに説明する。
【００３９】
電解槽６０は、図４に表したように、その内部に陽極板６１および陰極板６２を有し、制御部４１０からの通電の制御によって、内部を流れる水道水を電気分解できる。ここで、水道水は、塩素を含んでいるため、その塩素の電気化学反応により塩素イオンが生成されて次亜塩素酸を含む液に変化する。このように、給水路切替弁４３から供給された水道水は、電解槽６０において電気分解されて次亜塩素酸を含む溶液となり、リム吐水口１１４からボウル部１１０に流し出される。次亜塩素酸は、殺菌成分として機能し、その次亜塩素酸を含む溶液は、酸性を示すためアンモニアなどによる汚れを効率的に除去あるいは分解できる。
【００４０】
給水路切替弁４３からの給水は、電解槽６０の下部に流入することが望ましく、そして電解槽６０からリム吐水口１１４への流出口は電解槽６０の頂上部に設けられることが望ましい。これにより、電解槽６０の水が流出する際に内部での電気分解によって発生するＯ２やＨ２等のガスを流出水と一緒に排出できる。さらには、電解槽６０からリム吐水口１１４への流出口には電解槽６０の内部の圧力上昇時に大気開放されるバキュームブレーカ等の弁が設けられることが望ましい。これにより、電気分解によって発生するＯ２やＨ２のガスを流出中でも大気中に排出することができる。
【００４１】
次に、溜水面を待機時よりも下げる動作（殺菌準備工程の動作）について説明する。  
本具体例の便器装置１０が溜水面を待機時よりも下げる場合には、まず、待機時において、給水路切替弁４３は、リム側給水路４４およびタンク側給水路４５の両方に連通する中立位置となっている。次に、この待機時において、制御部４１０が、ボウル部１１０の殺菌を行う条件が適用された、すなわちボウル部１１０の殺菌の実行を開始する指令がなされたと判断すると、リム洗浄（前リム洗浄）が開始される。
【００４２】
まず、制御部４１０は、給水路切替弁４３をリム側給水路４４に全開状態（リム側全開位置）に切り替え、洗浄水をリム吐水口１１４へ供給し、洗浄水をリム吐水口１１４から吐水する。このリム吐水により、ボウル部１１０の洗浄が行われる。
【００４３】
次に、所定時間（例えば、約２５秒程度）が経過した後、ジェット吐水（ジェット洗浄）を行うために、制御部４１０は、加圧ポンプ５２をＯＮとし、その加圧ポンプ５２により貯水タンク５１内の洗浄水をジェット吐水口１１１へ供給し、洗浄水をジェット吐水口１１１から吐水する。
【００４４】
このとき、まず、制御部４１０は、加圧ポンプ５２を比較的低速（例えば、約１０００ｒｐｍ程度）に保持し、ジェット側給水路５３の頂部５３ｃの近傍（即ち、ボウル部１１０の溜水面より上方に位置する部分）に残留する空気をゆっくりとジェット吐水口１１１から排出する。この結果、加圧ポンプ５２をいきなり本来の高速回転で始動した場合に生じるジェット吐水口１１１からの空気の排出音の発生を防止することができる。
【００４５】
また、制御部４１０は、加圧ポンプ５２をＯＮにすると、給水路切替弁４３をリム側全開位置からタンク側全開位置に切り替え、上端フロートスイッチ５５がＯＮとなるまでタンク給水を行う。
【００４６】
次に、制御部４１０は、加圧ポンプ５２を高速回転（例えば、約３５００ｒｍｐ程度）させる。これにより、加圧ポンプ５２による加圧力が大きくなり、ジェット吐水口１１１から大流量の洗浄水が吐水される。この大流量の洗浄水が、排水トラップ管路１１２の入口部１１２ａに流入し、サイホン現象が急速に引き起こされ、ボウル部１１０内の溜水１２０が素早く排出される。
【００４７】
次に、このサイホン作用起動後において、制御部４１０は、加圧ポンプ５２の回転数をサイホン起動時の回転数より低い回転数（例えば、約３０００ｒｍｐ程度）に変更する。このときの状態は、「ブロー領域」などと呼ばれ、サイホン作用により、ボウル部１１０内の洗浄水が引き続き排水トラップ管路１１２を経て外部に排出されている領域である。
【００４８】
次に、制御部４１０は、加圧ポンプ５２を高速回転させてから所定時間（例えば、約１．５秒程度）が経過した後、加圧ポンプ５２の作動を停止させる。この加圧ポンプ５２が停止したとき、排水トラップ管路１１２のトラップ上昇管１１２ｂ内の洗浄水が戻り水（水量Ｑ１）としてボウル部１１０に戻ると共に、加圧ポンプ５２の回転部の慣性力による回転によって、貯水タンク５１内の洗浄水がボウル部１１０に供給される（水量Ｑ２）。これらの水量（Ｑ１＋Ｑ２）により、ボウル部１１０内には所定水位の溜水１２０が溜まる。但し、このときの溜水１２０の溜水面は、待機時の溜水面よりも低い。
【００４９】
次に、前述したタンク給水により上端フロートスイッチ５５がＯＮとなると、貯水タンク５１内の洗浄水のオーバフローを防止するため、制御部４１０は、電磁開閉弁４２を閉じてタンク給水を停止させる。  
このようにして、ボウル部１１０の溜水１２０の水位（溜水面）は、待機時よりも低水位となる。
【００５０】
次に、本具体例の便器装置１０の動作について、図面を参照しつつ説明する。  
図５は、本具体例の便器装置の動作を表すタイムチャートである。  
まず、制御部４１０が、ボウル部１１０の殺菌を行う条件が適用された、すなわちボウル部１１０の殺菌の実行を開始する指令がなされたと判断すると、リム吐水を行い（時間ｔ１〜ｔ２）、続いてジェット吐水を行う（時間ｔ２〜ｔ３）ことにより、溜水１２０の溜水面を待機時よりも下げる。この殺菌準備工程（時間ｔ１〜ｔ３）の動作は、図３に関して前述した如くである。
【００５１】
なお、図５に表した「リム吐水ＯＮ」とは、リム吐水口１１４から水が吐水されていることを意味するものとし、一方で、図５に表した「リム吐水ＯＦＦ」とは、リム吐水口１１４から水が吐水されていないことを意味するものとする。また、図５に表した「ジェット吐水ＯＮ」とは、ジェット吐水口１１１から水が吐水されていることを意味するものとし、一方で、図５に表した「ジェット吐水ＯＦＦ」とは、ジェット吐水口１１１から水が吐水されていないことを意味するものとする。これらは、後述する図６、図８〜図１０、および図１２〜図１３においても同様である。
【００５２】
ここで、リム吐水を行うときには（時間ｔ１〜ｔ２）、制御部４１０は、図５に表したように、電解槽６０の陽極板６１および陰極板６２に電圧をかけていない。そのため、このときにリム吐水口１１４から吐水される水には、次亜塩素酸は含まれていない。すなわち、このときにリム吐水口１１４から吐水される水は、次亜塩素酸を含んだ溶液（殺菌水）ではない。但し、このリム吐水のときに、制御部４１０は、電解槽６０の陽極板６１および陰極板６２に電圧をかけ、リム吐水口１１４から殺菌水を吐水させてもよい。これによれば、このタイミングにおいて、溜水面以上のボウル部１１０を殺菌することができる。
【００５３】
続いて、制御部４１０は、殺菌準備工程（時間ｔ１〜ｔ３）により溜水１２０の溜水面を待機時よりも下げると、電解槽６０の陽極板６１および陰極板６２に電圧をかける。そして、制御部４１０は、リム吐水を行う（時間ｔ３〜ｔ４）。これにより、次亜塩素酸を含んだ溶液（殺菌水）がリム吐水口１１４からボウル部１１０に流し出される。このとき、溜水面は、待機時よりも下がっているため、待機時の溜水面以下のボウル部１１０に殺菌水を付着させることができる。
【００５４】
そして、リム吐水を行うことにより、封水としての溜水１２０を待機時の溜水面に復元する復水を殺菌水にて行うことができる（時間ｔ３〜ｔ４）。なお、本具体例では、殺菌水にて復水する場合を例に挙げて説明したが、これだけに限定されず、復水する水の全てを殺菌水とする必要はない。例えば、待機時の溜水１２０の８０％に相当する水量を殺菌水にて復水し、待機時の溜水１２０の２０％に相当する水量を殺菌水ではない水（水道水）にて復水してもよい。殺菌水と、殺菌水ではない水（水道水）と、の水量の割合については、適宜変更することができる。これによれば、電解槽６０が、待機時の溜水１２０に相当する水量の殺菌水を短時間で生成できない場合であっても、殺菌水ではない水を補充することにより復水を完了することができる。
【００５５】
本具体例の便器装置１０の動作によれば、待機時の溜水面以下のボウル部１１０に殺菌水を付着させることができるため、待機時の溜水面以下のボウル部１１０を殺菌することができる。また、待機時の溜水面以下のボウル部１１０の清潔性や衛生をより向上させることができる。またさらに、待機時の溜水面以下のボウル部１１０の防汚や防臭を行うことができる。そのため、ボウル部１１０の清掃を簡略化させることができる、あるいはボウル部１１０の清掃の手間を無くすことができる。また、ボウル部１１０の殺菌を無駄に実行することがないため、エネルギーロスを抑制したり、省エネルギー化を図ることができる。
【００５６】
ここで、復水された溜水１２０は、殺菌水を有するため、溜水面以下のボウル部１１０は、待機時においても殺菌水で浸されている。そのため、本具体例の便器装置１０の動作によれば、溜水面以下のボウル部１１０の殺菌効果をより持続させることができる。但し、殺菌水にて復水を行ってから所定時間が経過した後に、殺菌水ではない水（水道水）により再び復水してもよい。これによれば、排水トラップ管路１１２に貯留された殺菌水を有する溜水１２０を排水しつつ、殺菌水により除去した汚れなどを外部に排出することができる。
【００５７】
図６は、本具体例の便器装置の動作の変形例を表すタイムチャートである。  
本変形例の動作では、制御部４１０は、ジェット吐水を行いつつ、リム吐水口１１４から殺菌水を吐水する。すなわち、図５に関して前述した動作では、制御部４１０は、ジェット吐水の終了（時間ｔ３）と略同時に、あるいはその後にリム吐水口１１４から殺菌水を吐水するが、本変形例の動作では、ジェット吐水中（時間ｔ２〜ｔ４）にリム吐水（殺菌水の吐水）を開始する（時間ｔ３）。
【００５８】
より具体的には、まず、時間ｔ１〜ｔ３における動作については、図５に関して前述した殺菌準備工程（時間ｔ１〜ｔ３）の動作と同様である。但し、制御部４１０は、時間ｔ３においてジェット吐水を終了させない。そして、制御部４１０は、ジェット吐水を終了させる前に、電解槽６０の陽極板６１および陰極板６２に電圧をかけ、リム吐水口１１４から殺菌水を吐水する（時間ｔ３）。
【００５９】
これによれば、図５に関して前述した動作の場合よりも、ボウル部１１０のより下の部分（深い部分）にまで殺菌水を付着させることができる。これは、溜水１２０の溜水面がより下がった状態において、リム吐水口１１４から殺菌水を吐水することができるためである。
【００６０】
より具体的には、図５に関して前述した動作の場合には、ジェット吐水の終了させてから殺菌水を吐水するため、殺菌水を吐水したときには、図３に関して前述したように、ボウル部１１０内には所定水量（Ｑ１＋Ｑ２）の溜水１２０が溜まっている。一方、本変形例の動作では、ジェット吐水を行いつつ殺菌水を吐水するため、殺菌水を吐水したときには、サイホン作用によりボウル部１１０内の水が排水トラップ管路１１２を経て外部に排出されている。そのため、本変形例の動作では、ボウル部１１０のより下の部分（深い部分）にまで殺菌水を付着させることができる。
【００６１】
続いて、制御部４１０は、リム吐水口１１４からの殺菌水の吐水を開始してから所定時間後に、ジェット吐水を終了する（時間ｔ４）。続いて、制御部４１０は、ジェット吐水を終了してから所定時間後に、リム吐水口１１４からの殺菌水の吐水を終了する（時間ｔ５）。これにより、リム吐水口１１４から吐水される殺菌水により、復水を行うことができる。なお、本変形例の動作においても、復水する水の全てを殺菌水とする必要はない。
【００６２】
本変形例の動作によれば、ボウル部１１０のより下の部分にまで殺菌水を付着させることができるため、ボウル部１１０のより下の部分を殺菌することができる。また、ボウル部１１０のより下の部分の清潔性や衛生をより向上させることができる。また、その他の効果についても、図５に関して前述した効果と同様の効果を得ることができる。
【００６３】
なお、本変形例の動作では、ジェット吐水を行いつつ殺菌水を吐水するため、排水管１１５とボウル部１１０とが貫通する場合がある。すなわち、いわゆる「封水切れ」を生ずる場合がある。そうすると、悪臭が排水管１１５からトイレ室内に侵入する場合がある。そこで、本変形例の動作を実行する場合には、制御部４１０は、排水管から逆流する臭気がボウル部１１０外へ飛散することを防止する臭気飛散防止工程を実行することがより好ましい。
【００６４】
例えば、制御部４１０は、局部洗浄装置４００に適宜設置される「脱臭ユニット」を起動させることがより好ましい。あるいは、局部洗浄装置４００や便器本体１００に加圧機を適宜設け、その加圧機により排水トラップ管路１１２や排水管１１５に向かって圧力（風圧）をかけてもよい。あるいは、局部洗浄装置４００や便器本体１００にいわゆる「エアカーテン」を適宜設け、その「エアカーテン」により悪臭の拡散を抑制してもよい。あるいは、逆止弁などのような構造を有する蓋体を排水トラップ管路１１２や排水管１１５に適宜設けてもよい。あるいは、例えば銀イオンなどを発生させて、悪臭を分解させてもよい。
【００６５】
次に、本実施形態の他の具体例にかかる便器装置１０について、図面を参照しつつ説明する。  
図７は、本実施形態の他の具体例にかかる便器装置の主な構成を表すブロック図である。
【００６６】
図３に関して前述した具体例の便器装置１０では、次亜塩素酸を含んだ溶液（殺菌水）を生成する電解槽６０は、リム側給水路４４の途中に設けられているが、本具体例の便器装置１０では、その電解槽６０は、局部洗浄装置４００に内蔵されている。また、本具体例の便器装置１０では、制御部４１０は、局部洗浄装置４００に内蔵されている。
【００６７】
便器本体機能部３０の給水路４１に設けられた分岐金具３１により分岐された分岐給水路３３は、局部洗浄装置４００の内部において、ノズル側給水路４５１と電解槽側給水路４５２とに分岐されている。ノズル側給水路４５１には、給水圧にかかわらず水の流量を一定に保つ定流量弁４２１と、通電により開弁して下流への通水／止水を選択的に切り替える電磁弁４２２と、が設けられている。
【００６８】
また、電磁弁４２２の下流には、熱交換器４３０が設けられている。熱交換器４３０は、例えばシーズヒータなどの加熱源であるヒータ４３１を備えており、上流の電磁弁４２２を通して供給される水を貯留して加熱する。電磁弁４２２を通して水が供給されると、熱交換器４３０の上部に設けられた出湯口４３２から、加熱された水が押し出されて流出する。
【００６９】
熱交換器４３０の下流には、切替弁４４１と、洗浄ノズル４４３と、が設けられている。熱交換器４３０から流出した水は、切替弁４４１によって、その供給先を洗浄ノズル４４３に設けられた複数の吐水口のいずれかに切り替えられる。なお、吐水口がひとつしか設けられていない場合には、切替弁４４１は設けられていなくともよい。洗浄ノズル４４３は、その先端部に設けられた吐水口から水を噴射して、便座に座った使用者の「おしり」などを洗浄することができる。なお、使用者は、洗浄ノズル４４３から吐出される水の水勢及び温度を好みに応じて変更することが可能であり、図示しないリモコンによりヒータ４３１の加熱量を調節する。
【００７０】
一方、電解槽側給水路４５２には、通電により開弁して下流への通水／止水を選択的に切り替える電磁弁４２４と、水道水を電気分解して次亜塩素酸を含む溶液を生成可能な電解槽６０と、が設けられている。電解槽６０の構造は、図４に関して前述した構造と同様である。そして、電磁弁４２４を通して供給された水（水道水）は、電解槽６０の内部で塩素の電気化学反応により次亜塩素酸を含む液（殺菌水）に変化する。電解槽６０において生成された殺菌水は、電解槽側給水路４５２を通して局部洗浄装置４００の下面などに適宜設けられた殺菌水吐水口２０（図１参照）、あるいはリム吐水口１１４に導かれ、ボウル部１１０に流し出される。その他の構造については、図３に関して前述した具体例の便器装置１０の構造と同様である。また、溜水面を待機時よりも下げる動作（殺菌準備工程の動作）についても、図３に関して前述した具体例の便器装置１０の動作と同様である。
【００７１】
次に、本具体例の便器装置１０の動作について、図面を参照しつつ説明する。  
図８は、本具体例の便器装置の動作を表すタイムチャートである。  
まず、時間ｔ１〜ｔ３における動作については、図５に関して前述した殺菌準備工程（時間ｔ１〜ｔ３）の動作と同様である。これにより、ボウル部１１０の溜水１２０の溜水面を待機時よりも下げることができる。続いて、制御部４１０は、電解槽６０の陽極板６１および陰極板６２に電圧をかけ、電磁弁４２４を開放して殺菌水をボウル部１１０に吐水する（時間ｔ３〜ｔ４）。これにより、次亜塩素酸を含んだ溶液（殺菌水）がボウル部１１０に流し出される。
【００７２】
なお、図８に表した「殺菌水吐水ＯＮ」とは、殺菌水吐水口２０あるいはリム吐水口１１４などから殺菌水が吐水されていることを意味するものとし、一方で、図８に表した「殺菌水吐水ＯＦＦ」とは、殺菌水吐水口２０あるいはリム吐水口１１４などから殺菌水が吐水されていないことを意味するものとする。これは、後述する図９および図１０においても同様である。
【００７３】
そして、次亜塩素酸を含んだ溶液（殺菌水）がボウル部１１０に流し出されるときには、溜水面は、待機時よりも下がっているため、待機時の溜水面以下のボウル部１１０に殺菌水を付着させることができる。これにより、待機時の溜水面以下のボウル部１１０を殺菌することができる。また、ボウル部１１０に吐水される殺菌水により、復水を行うことができる（時間ｔ３〜ｔ４）。なお、本具体例の動作においても、図５に関して前述したように、復水する水の全てを殺菌水とする必要はない。また、その他の効果についても、図５に関して前述した効果と同様の効果を得ることができる。
【００７４】
図９は、本具体例の便器装置の動作の変形例を表すタイムチャートである。  
まず、時間ｔ１〜ｔ３における動作については、図５に関して前述した殺菌準備工程（時間ｔ１〜ｔ３）の動作と同様である。これにより、ボウル部１１０の溜水１２０の溜水面を待機時よりも下げることができる。続いて、制御部４１０は、リム吐水を行う（時間ｔ３〜ｔ４）。これにより、待機時の溜水１２０の一部に相当する水量を殺菌水ではない水（水道水）にて復水することができる。続いて、制御部４１０は、電解槽６０の陽極板６１および陰極板６２に電圧をかけ、電磁弁４２４を開放して殺菌水をボウル部１１０に吐水する（時間ｔ４〜ｔ５）。これにより、次亜塩素酸を含んだ溶液（殺菌水）がボウル部１１０に流し出される。
【００７５】
ここで、次亜塩素酸を含んだ溶液（殺菌水）がボウル部１１０に流し出されるときには、溜水面は、待機時よりも下がっている。つまり、待機時の溜水１２０の一部に相当する水量については、殺菌水ではない水（水道水）にて復水されているが、そのときの溜水１２０の溜水面は、待機時の溜水１２０よりも低い。そのため、待機時の溜水面以下のボウル部１１０に殺菌水を付着させることができる。また、電磁弁４２４を開放して殺菌水をボウル部１１０に吐水することにより、待機時の溜水１２０の他部に相当する水量を殺菌水にて復水することができる。つまり、殺菌水と、殺菌水ではない水（水道水）と、により溜水１２０を待機時の溜水面に復元することができる。
【００７６】
本具体例によれば、電解槽６０が、待機時の溜水１２０に相当する水量の殺菌水をより短時間に生成できない場合であっても、殺菌水ではない水を排水トラップ管路１１２に予め補充しておくことにより復水を完了することができる。また、その他の効果についても、図５に関して前述した効果と同様の効果を得ることができる。
【００７７】
図１０は、本具体例の便器装置の動作の他の変形例を表すタイムチャートである。  
本変形例の動作では、制御部４１０は、図６に関して前述した動作と同様に、ジェット吐水を行いつつ、ボウル部１１０に殺菌水を吐水する。すなわち、図８および図９に関して前述した動作では、制御部４１０は、ジェット吐水の終了（時間ｔ３）と略同時に、あるいはその後にボウル部１１０に殺菌水を吐水するが、本変形例の動作では、ジェット吐水中（時間ｔ２〜ｔ４）に殺菌水の吐水を開始する（時間ｔ３）。
【００７８】
より具体的には、まず、時間ｔ１〜ｔ３における動作については、図５に関して前述した殺菌準備工程（時間ｔ１〜ｔ３）の動作と同様である。これにより、ボウル部１１０の溜水１２０の溜水面を待機時よりも下げることができる。但し、制御部４１０は、時間ｔ３においてジェット吐水を終了させない。そして、制御部４１０は、ジェット吐水を終了させる前に、電解槽６０の陽極板６１および陰極板６２に電圧をかけ、電磁弁４２４を開放して殺菌水をボウル部１１０に吐水する（時間ｔ３）。これによれば、図６に関して前述したように、図８および図９に関して前述した動作の場合よりも、ボウル部１１０のより下の部分（深い部分）にまで殺菌水を付着させることができる。
【００７９】
続いて、制御部４１０は、殺菌水の吐水を開始してから所定時間後に、ジェット吐水を終了する（時間ｔ４）。続いて、制御部４１０は、ジェット吐水を終了してから所定時間後に、殺菌水の吐水を終了する（時間ｔ５）。これにより、ボウル部１１０に吐水される殺菌水により、復水を行うことができる。なお、本変形例の動作においても、復水する水の全てを殺菌水とする必要はない。
【００８０】
なお、本変形例の動作では、ジェット吐水を行いつつ殺菌水を吐水するため、排水管１１５とボウル部１１０とが貫通する場合がある。すなわち、いわゆる「封水切れ」を生ずる場合がある。そのため、図６に関して前述したように、本変形例の動作を実行する場合には、制御部４１０は、排水管から逆流する臭気がボウル部１１０外へ飛散することを防止する臭気飛散防止工程を実行することがより好ましい。また、その他の効果についても、図５に関して前述した効果と同様の効果を得ることができる。
【００８１】
次に、本発明の第２の実施の形態について、図面を参照しつつ説明する。  
図１１は、本発明の第２の実施の形態にかかる便器装置を表す断面模式図である。  
なお、図１１は、本実施形態にかかる便器装置を前方から眺めたときの断面模式図であり、図１１（ａ）に表した溜水水位（溜水面）は、待機時の状態を表しており、図１１（ｂ）に表した溜水水位（溜水面）は、待機時よりも下がった状態を表している。
【００８２】
図１〜図１０に関して前述した便器装置１０は、殺菌水をボウル部１１０に流す、あるいは噴射する殺菌水吐水口２０やリム吐水口１１４を備えるが、本実施形態にかかる便器装置１０は、ボウル部１１０に紫外線（ＵＶ：ultraviolet）を照射する紫外線照射体７０を備える。紫外線照射体７０は、例えば、便器本体１００の上部に設けられている。但し、紫外線照射体７０の設置位置は、これだけに限定されるわけではなく、局部洗浄装置４００の下面あるいは前面や、便器本体１００の鉛直方向の中央部などに設けられていてもよい。また、紫外線照射体７０としては、例えば、発光ダイオード（ＬＥＤ：Light Emitting Diode）、ブラックライト、ケミカルライト、水銀ランプ、あるいはキセノンランプなどが挙げられる。
【００８３】
紫外線は、殺菌効果を有し、またバクテリアや細菌やカビなどの繁殖を抑制する効果を有する。そのため、紫外線照射体７０から紫外線をボウル部１１０に照射することにより、便器本体１００のボウル部１１０の清潔性や衛生をより向上させ、そのボウル部１１０を殺菌することができる。またさらに、ボウル部１１０の防汚や防臭を行うことができる。
【００８４】
このとき、ボウル部１１０の下部には、封水としての溜水１２０が存在するため、ボウル部１１０に紫外線を照射しても、溜水１２０の溜水面以下のボウル部１１０の部分では、殺菌作用あるいは殺菌効果が低下するおそれがある。これは、紫外線照射体７０から照射された紫外線が溜水１２０により吸収されるためである。そのため、待機時の溜水面以下の部分（喫水部）を殺菌することができないおそれがある。
【００８５】
そこで、本実施形態にかかる便器装置１０は、紫外線照射体７０から照射するときには、溜水１２０の溜水面を待機時よりも下げることができる。すなわち、便器装置１０は、図１〜図１０に関して説明した便器装置１０と同様に、ボウル部１１０の殺菌を行う場合には、溜水１２０の溜水面を下げる殺菌準備工程と、ボウル部１１０を殺菌する殺菌工程と、を実行することができる。なお、その他の構造や動作の概要については、図１および図２に関して説明した構造や動作の概要と同様である。
【００８６】
次に、本具体例の便器装置１０の動作について、図面を参照しつつ説明する。  
図１２は、本具体例の便器装置の動作を表すタイムチャートである。  
まず、時間ｔ１〜ｔ３における動作については、図５に関して前述した殺菌準備工程（時間ｔ１〜ｔ３）の動作と同様である。つまり、図３に関して前述したように、制御部４１０は、リム吐水を行い、ジェット吐水を行い、加圧ポンプ５２の作動を停止させることにより、ボウル部１１０の溜水１２０の溜水面を待機時よりも下げることができる。
【００８７】
続いて、制御部４１０は、紫外線照射体７０から紫外線をボウル部１１０に照射する（時間ｔ３〜ｔ４）。これにより、ボウル部１１０を紫外線により殺菌することができる。このとき、溜水面は、待機時よりも下がっているため、待機時の溜水面以下のボウル部１１０に紫外線照射体７０からの紫外線を照射することができる。
【００８８】
また、制御部４１０は、紫外線照射体７０から紫外線をボウル部１１０に照射するときには、便蓋３００を開閉させる図示しない便蓋駆動装置により、便蓋３００を閉じることがより好ましい。これによれば、より高い殺菌性を有する周波数帯域の紫外線を使用して、ボウル部１１０を殺菌することができる。すなわち、制御部４１０は、便蓋３００を閉じた状態で紫外線を照射するため、より高い殺菌性を有する周波数帯域の紫外線をボウル部１１０に照射しても人体に悪影響を及ぼすことはない。
【００８９】
続いて、制御部４１０は、紫外線の照射を停止させると、リム吐水を行う（時間ｔ４〜ｔ５）。これにより、封水としての溜水１２０を待機時の溜水面に復元する復水を行うことができる。
【００９０】
本具体例の便器装置１０の動作によれば、待機時の溜水面以下のボウル部１１０に紫外線を照射することができるため、待機時の溜水面以下のボウル部１１０を殺菌することができる。また、待機時の溜水面以下のボウル部１１０の清潔性や衛生をより向上させることができる。またさらに、待機時の溜水面以下のボウル部１１０の防汚や防臭を行うことができる。
【００９１】
なお、溜水１２０の溜水面を待機時よりも下げた後に紫外線を照射する場合を例に挙げて説明したが、これだけに限定されず、制御部４１０は、紫外線照射体７０から紫外線を照射しつつ溜水１２０の溜水面を下げてもよい。つまり、制御部４１０は、図１２に表した時間ｔ３〜ｔ４の間に、溜水１２０の溜水面を下げる動作を開始してもよい。これによっても、待機時の溜水面以下のボウル部１１０に紫外線照射体７０からの紫外線を照射し殺菌することができる。
【００９２】
図１３は、本具体例の便器装置の動作の変形例を表すタイムチャートである。  
本変形例の動作では、制御部４１０は、ジェット吐水を行いつつ、紫外線照射体７０からの紫外線を照射する。すなわち、図１２に関して前述した動作では、制御部４１０は、ジェット吐水の終了（時間ｔ３）と略同時に、あるいはその後に紫外線照射体７０からの紫外線を照射するが、本変形例の動作では、ジェット吐水中（時間ｔ２〜ｔ４）に紫外線の照射を開始する（時間ｔ３）。
【００９３】
より具体的には、まず、時間ｔ１〜ｔ３における動作については、図５に関して前述した殺菌準備工程（時間ｔ１〜ｔ３）の動作と同様である。但し、制御部４１０は、時間ｔ３においてジェット吐水を終了させない。そして、制御部４１０は、ジェット吐水を終了させる前に、紫外線の照射を開始する（時間ｔ３）。これによれば、図１２に関して前述した動作の場合よりも、ボウル部１１０のより下の部分（深い部分）にまで紫外線を照射することができる。続いて、制御部４１０は、リム吐水を行うことにより、腹水を行うことができる（時間ｔ４〜ｔ５）。
【００９４】
本変形例の動作によれば、ボウル部１１０のより下の部分にまで紫外線を照射し殺菌することができる。また、ボウル部１１０のより下の部分の清潔性や衛生をより向上させることができる。また、その他の効果についても、図１２に関して前述した効果と同様の効果を得ることができる。
【００９５】
なお、本変形例の動作では、ジェット吐水を行いつつ紫外線を照射するため、排水管１１５とボウル部１１０とが貫通する場合がある。すなわち、いわゆる「封水切れ」を生ずる場合がある。そのため、図６に関して前述したように、制御部４１０は、排水管から逆流する臭気がボウル部１１０外へ飛散することを防止する臭気飛散防止工程を実行することがより好ましい。
【００９６】
次に、溜水面を待機時よりも下げる動作（殺菌準備工程の動作）の変形例について、図面を参照しつつ説明する。  
図１４は、溜水面を待機時よりも下げる動作の変形例を説明するための断面模式図である。
【００９７】
図３〜図１０および図１２〜図１３に関して前述した便器装置１０の構造および動作では、リム吐水を行い、ジェット吐水を行い、加圧ポンプ５２の作動を停止させることにより、ボウル部１１０の溜水１２０の溜水面を待機時よりも下げる場合を例に挙げて説明したが、これだけに限定されるわけではない。例えば、図１４に表したように、排水トラップを回動自在とすることにより、ボウル部１１０の溜水１２０の溜水面を待機時よりも下げてもよい。
【００９８】
より具体的には、図１４に表した便器装置は、便器本体１００の後方下部に設けられボウル部１１０内に一定の封水（溜水）１２０を確保するための回動トラップ部１４０を備える。局部洗浄装置４００の内部には、制御部４１０と、電磁弁４２２と、回動トラップ部１４０の最上位置と最下位置とをそれぞれ検知する検知センサ４６１と、が設けられている。電磁弁４２２は、例えば、水道に直結されており、電磁弁４２２を開放することによりボウル部１１０内に溜水１２０を確保することができる。
【００９９】
そして、溜水面を待機時よりも下げる場合には、まず、制御部４１０は、図１４（ａ）から図１４（ｂ）に表したように、図示しないモータを駆動して回動トラップ部１４０を矢印Ａ１の方向に下回動させつつ、電磁弁４２２を開放する。その結果、溜水１２０は回動トラップ部１４０の上部から矢印Ａ２の方向に排出される。続いて、溜水１２０の容量がＥに表した容量分だけ減少すると、制御部４１０は、図１４（ｂ）から図１４（ｃ）に表したように、回動トラップ部１４０をさらに矢印Ａ４の方向に下回動させ、溜水１２０を一気に矢印Ａ３の方向に排出する。このようにして、ボウル部１１０の溜水１２０の水位（溜水面）は、待機時よりも低水位となる。
【０１００】
そして、図５〜図６、図８〜図１０、および図１２〜図１３に関して前述したタイミングと同様のタイミングにおいて、ボウル部１１０に殺菌水を吐水したり紫外線を照射することにより、待機時の溜水面以下のボウル部１１０を殺菌することができる。なお、図１４に表した便器装置では、いわゆる「封水切れ」を生ずる場合があるが、逆止弁などのような構造を有する蓋体を回動トラップ部１４０に適宜設けることにより、悪臭が排水管からトイレ室内に侵入することを抑制することができる。
【０１０１】
なお、回動トラップ部１４０に溜水１２０を復水する場合には、まず、検知センサ４６１が回動トラップ部１４０の最下位置を検知し、ボウル部１１０に殺菌水を吐水したり紫外線を照射してから所定時間が経過する。そうすると、制御部４１０は、図示しないモータを駆動して回動トラップ部１４０を上回転させつつ、電磁弁４２２を開放する。回動トラップ部１４０が上回転し、検知センサ４６１が回動トラップ部１４０の最上位置を検知すると、制御部４１０は回動トラップ部１４０の回動を停止させる。その後、所定時間が経過し、ボウル部１１０に溜水１２０が確保されると、制御部４１０は電磁弁４２２を閉止して例えば水道からの給水を停止する。
【０１０２】
以上説明したように、本実施形態によれば、便器装置１０は、ボウル部１１０の殺菌を行う場合には、溜水１２０の溜水面を下げる殺菌準備工程と、ボウル部１１０を殺菌する殺菌工程と、を実行することができる。これにより、待機時の溜水面以下のボウル部１１０に殺菌水を付着させたり、紫外線を照射することができる。そのため、待機時の溜水面以下のボウル部１１０を殺菌することができる。また、待機時の溜水面以下のボウル部１１０の清潔性や衛生をより向上させることができる。またさらに、待機時の溜水面以下のボウル部１１０の防汚や防臭を行うことができる。そのため、ボウル部１１０の清掃を簡略化させることができる、あるいはボウル部１１０の清掃の手間を無くすことができる。また、ボウル部１１０の殺菌を無駄に実行することがないため、エネルギーロスを抑制したり、省エネルギー化を図ることができる。
【０１０３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便器本体１００および局部洗浄装置４００などが備える各要素の形状、寸法、材質、配置などや殺菌水吐水口２０、リム吐水口１１４、および紫外線照射体７０の設置形態などは、例示したものに限定されるわけではなく適宜変更することができる。また、ボウル部の殺菌を行う条件が適用された場合に限らず、便器本体を洗浄するたびに殺菌工程を実行するようにしてもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０４】
１０ 便器装置、  ２０ 殺菌水吐水口、  ３０ 便器本体機能部、  ３１ 分岐金具、  ３３ 分岐給水路、  ４０ バルブユニット、  ４１ 給水路、  ４２ 電磁開閉弁、  ４３ 給水路切替弁、  ４４ リム側給水路、  ４５ タンク側給水路、  ５１ 貯水タンク、  ５２ 加圧ポンプ、  ５３ ジェット側給水路、  ５３ａ 上流ジェット側給水路、  ５３ｂ 下流ジェット側給水路、  ５３ｃ 頂部、  ５５ 上端フロートスイッチ、  ６０ 電解槽、  ６１ 陽極板、  ６２ 陰極板、  ７０ 紫外線照射体、  １００ 便器本体、  １１０ ボウル部、  １１１ ジェット吐水口、  １１２ 排水トラップ管路、  １１２ａ 入口部、  １１２ｂ トラップ上昇管、  １１２ｃ トラップ下降管、  １１２ｄ 頂部、  １１４ リム吐水口、  １１５ 排水管、  １２０ 溜水、  １４０ 回動トラップ部、  ２００ 便座、  ３００ 便蓋、  ４００ 局部洗浄装置、  ４１０ 制御部、  ４２１ 定流量弁、  ４２２ 電磁弁、  ４２４ 電磁弁、  ４３０ 熱交換器、  ４３１ ヒータ、  ４３２ 出湯口、  ４４１ 切替弁、  ４４３ 洗浄ノズル、  ４５１ ノズル側給水路、  ４５２ 電解槽側給水路、  ４６１ 検知センサ
【図１】
2010248786.tif 000003
【図２】
2010248786.tif 000004
【図３】
2010248786.tif 000005
【図５】
2010248786.tif 000006
【図６】
2010248786.tif 000007
【図７】
2010248786.tif 000008
【図８】
2010248786.tif 000009
【図９】
2010248786.tif 000010
【図１０】
2010248786.tif 000011
【図１１】
2010248786.tif 000012
【図１２】
2010248786.tif 000013
【図１３】
2010248786.tif 000014
【図１４】
2010248786.tif 000015
【図４】
2010248786.tif 000016